(57)【要約】【課題】本発明は、電線の曲げ半径を規定値以上にでき、しかも作業工数を低減できるコンセント装置の提供を課題とする。【解決手段】本発明は、複数の電線１１の端部１１ａを収容するケース１０と、このケース１０に取り付けられ複数の電線１１をそれぞれ接続する複数のジャックコネクタ１３と、ジャックコネクタ１３と引出口１４間に配置された電線１１の曲げ半径を規制する曲げ半径規制手段１５と、ケース１０に設けられジャックコネクタ１３に接続された複数の電線１１を、その接続部分１１ｂの中心軸に対して交差する方向に引き出す引出口１４とを備えている。【選択図】    図１
2004319417.tif 000002
【特許請求の範囲】
【請求項１】
複数の電線（１１）の端部（１１ａ）を収容するケース（１０）と、
前記ケース（１０）に設けられ前記複数の電線（１１）をそれぞれ接続する複数のジャックコネクタ（１３）と、
前記ケース（１０）に設けられ前記ジャックコネクタ（１３）に接続された前記複数の電線（１１）を、その接続部分（１１ｂ）の中心軸に対して交差する方向に引き出す引出口（１４）とを備えたコンセント装置（１）において、
前記ジャックコネクタ（１３）と前記引出口（１４）間に配置された前記電線（１１）の曲げ半径を規制する曲げ半径規制手段（１５）を備えたコンセント装置（１）。
【請求項２】
前記曲げ半径規制手段（１５）は、所定の曲率半径（Ｒ）を有する円弧状のガイド部（２５）を有し、前記ガイド部（２５）が前記引出口（１４）と前記引出口（１４）に最も近い前記ジャックコネクタ（１３）との間に配置されている請求項１に記載のコンセント装置（１）。
【請求項３】
前記電線（１１）の前記ジャックコネクタ（１３）との接続部分（１１ｂ）及びその近傍の部分が、前記接続部分（１１ｂ）の中心軸に対して側方へ変形するのを防止する変形防止手段（１６）を備えた請求項１に記載のコンセント装置（１）。
【請求項４】
前記ガイド部（２５）の曲率半径（Ｒ）は、前記電線（１１）の直径（ｄ）の４倍以上である請求項２に記載のコンセント装置（１）。
【発明の詳細な説明】
【０００１】
【発明の属する技術分野】
本発明は、商用ビル等に敷設されたＬＡＮ用の電線を接続するモジュラジャックコネクタを有するコンセント装置に関する。
【０００２】
【従来の技術】
商用ビル等に敷設されたＬＡＮ（Ｌｏｃａｌ  Ａｒｅａ  Ｎｅｔｗｏｒｋ）用の電線は、壁面や電源ボックスなどのコンセント装置に取り付けられた１個又は複数個のモジュラジャックコネクタに接続されている。
【０００３】
従来、上記のコネクタ装置は各種提案されている。例えば、図６に示す従来のコンセント装置３００は、ボディ３０２の前面に下側片３０６に設けた開口窓３０７に、プラグ挿入口を臨ませるようにして６個のモジュラブロック３３０が配設されている。
【０００４】
ボディ３０２の上壁及び左右両壁には突片３０９がそれぞれ突設されている。各突片３０９には、ノックアウト部３１０が形成されている。このノックアウト部３１０を切除することにより、ケーブル挿通孔３１０ａを形成する。
【０００５】
ボディ３０２の前面における突片３０９付近の部位には、ケーブル保持部３１１が形成される。このケーブル保持部３１１は、モジュラブロック３３０に接続されたケーブル３６０ａ〜３６０ｆを締め付けない程度の力で保持する。
【０００６】
また、ケーブル３６０ａ〜３６０ｆは、ボディ３０２の前面と略平行な面内において屈曲されている。ボディ３０２の前面には、ケーブル３６０ａ〜３６０ｆをガイドするガイド用リブ３１９〜３２１が突設されている（例えば、特許文献１参照。）。
【０００７】
また、図７に示す従来のコンセント装置４００は、電気接続箱４１０のカバー体４１２に導入された電線束Ｗに、長さ方向に沿って弾性部材よりなる規制部材４１６が固定されている。
【０００８】
この規制部材４１６における導入口４１２ａ側の一端には、係止突起４１６ａが下方に突設されている。この係止突起４１６ａは、カバー体４１２の底壁４１２ｃに形成された係止孔４１２ｄに係止固定されている。
【０００９】
上記の規制部材４１６の他端は自由端とされている。固定側コネクタ４１４ａ、４１４ｂ、４１４ｃに嵌合された可動側コネクタ４１５ａ、４１５ｂ、４１５ｃの各電線ｗａ，ｗｂ，ｗｃが、カバー体４１２の底壁４１２ｃ側へ付勢されている。これにより、電線ｗａ，ｗｂ，ｗｃの弛みを吸収するように構成されている（例えば、特許文献２参照。）。
【００１０】
また、図８に示す従来のモジュラジャックコネクタ５００は、筐体（図示せず）に取付けられた多端子コネクタ５１２を保護するコネクタカバー５０２の内壁に、複数の突起５０３が設けられている。
【００１１】
そして、電線５１３の少なくとも一部分が上記突起５０３により強制的に屈曲されている。
【００１２】
また、突起５０３の少なくとも表面が弾性材料層で形成されている。そして、電線５１３の絶縁被覆が、上記弾性材料層に食い込むように構成されている。
【００１３】
更に、複数の突起５０３の設置間隔が、電線５１３の絶縁被覆の外径より小さく形成されている。そして、狭隘な突起５０３の設置間隔により絶縁被覆が圧縮変形する状態で、それぞれ係留されている（例えば、特許文献３参照。）。
【００１４】
このような、コンセント装置は、基本的にＴＩＡ／ＥＴＡ−５６８−Ｂ．１（米国における商用ビル通信配線規格−一般要求事項）１０章（配線施工要求条件の電線）に規定されたＵＴＰケーブル（Ｕｎｓｈｉｅｌｄｅｄ  Ｔｗｉｓｔ  Ｐａｉｒ  Ｃａｂｌｅ）の最小曲げ半径を満足する必要がある。
【００１５】
上記の規格は、ＬＡＮの高速化に伴い、無理なケーブルの引き回し、屈曲による電送特性の低下を防止するために規定されている。
【００１６】
この規格では、電線の最小曲げ半径をその直径の４倍以上とするように規定されている。ＵＴＰケーブル径は約６〜７ｍｍなので、その最小曲げ半径は２４〜２８ｍｍとなる。
【００１７】
上記の従来のコンセント装置は、作業者がケーブルの曲げ半径が規定値より小さくならないように注意しながら、手作業でケーブルを湾曲させていた。
【００１８】
また、適宜な治具を使用して、ケーブルの曲げ半径が規定値以上になるように作業することも行われていた。この治具は、規定の曲げ半径以上の曲率半径を有するガイド部を備えている。そして、このガイド部にケーブルを沿わせて湾曲させる。
【００１９】
【特許文献１】
特開２００２−１３４２３３号公報
【特許文献２】
特開平１１−８９０５０号公報
【特許文献３】
特開２００１−３２６０２０号公報
【００２０】
【発明が解決しようとする課題】
しかしながら、従来のコンセント装置は、作業者が手作業でケーブルを湾曲させる場合は、その曲げ半径を正確に設定することが困難である。従って、曲げ半径が規定値より小さくなるおそれがあった。
【００２１】
また、治具を用いる場合は、曲げ半径を正確に設定できる。しかしながら、次に説明するように作業工数が増大するという問題があった。
【００２２】
すなわち、治具を用いる場合は、先ず電線を治具のガイド部に沿って湾曲させた状態で仮固定する。この状態で、電線と治具を一緒にコンセント装置内に収容する。そして、電線１１をコネクタ部に接続した後、治具を取り外す。
【００２３】
このように、治具を使用する場合は、電線を治具に仮固定する工程と、電線をコネクタに接続した後、治具を電線から取り外す工程とが必要であり、その分作業工数が増大する。
【００２４】
本発明は、このような問題に鑑みなされたもので、電線の曲げ半径を規定値以上にでき、しかも作業工数を低減できるコンセント装置の提供を課題とする。
【００２５】
【課題を解決するための手段】
本発明は、前記課題を解決するため、以下の手段を採用した。
【００２６】
すなわち、本発明は、複数の電線の端部を収容するケースと、前記ケースに設けられ前記複数の電線をそれぞれ接続する複数のジャックコネクタと、前記ケースに設けられ前記ジャックコネクタに接続された前記複数の電線を、その接続部分の中心軸に対して交差する方向に引き出す引出口とを備えたコンセント装置において、前記ジャックコネクタと前記引出口間に配置された前記電線の曲げ半径を規制する曲げ半径規制手段を備えている。
【００２７】
本発明によれば、電線をジャックコネクタに接続し、この電線を曲げ半径規制手段を介して引出口から引き出すことにより、電線の曲げ半径が一義的に所定の寸法になる。
【００２８】
ここで、前記曲げ半径規制手段には、所定の曲率半径を有する円弧状のガイド部を備え、前記引出口と前記引出口に最も近い前記ジャックコネクタとの間に配置できる。
【００２９】
この場合は、曲げ半径規制手段を一個のみ設ける。そして、この曲げ半径規制手段によって、引出口に最も近いジャックコネクタに接続された電線の曲げ半径を規制する。
【００３０】
引出口に最も近いジャックコネクタに接続された電線は、ジャックコネクタと引出口間に配線される長さが短くなる。そのため、そのままでは電線の曲げ半径を規定値以上にするのが困難である。
【００３１】
この状態で、電線の曲げ半径を無理に規定値以上にしようとすると、ジャックコネクタやケース及びその内部の部品を破損してしまうおそれがある。
【００３２】
そこで、本発明では、引出口に最も近いジャックコネクタに接続される電線の曲げ半径を、曲げ半径規制手段を用いて規定値以上にする。
【００３３】
また、前記電線の前記ジャックコネクタとの接続部分及びその近傍の部分が、前記接続部分の中心軸に対して側方へ変形するのを防止する変形防止手段を備えることができる。
【００３４】
この場合は、電線の接続部分及びその近傍が外力によって側方へ変形するのを防止できる。従って、変形によって生じる可能性がある電線の接続不良を防止できる。
【００３５】
また、前記ガイド部の曲率半径を、前記電線の直径の４倍以上にできる。この場合は、電線の曲げ半径をＴＩＡ／ＥＴＡ−５６８−Ｂ．１（米国における商用ビル通信配線規格−一般要求事項）１０章（配線施工要求条件の電線）に規定されたＵＴＰケーブルの最小曲げ半径を満足できる。
【００３６】
なお、以上述べた各構成は、本発明の趣旨を逸脱しない限り、互いに組み合わせることが可能である。
【００３７】
【発明の実施の形態】
以下、本発明の実施の形態を添付した図１〜図５に基づいて説明する。
【００３８】
図１は、本発明を適用したコンセント装置１を示す。なお、図１は、ケース１０のカバー１７（図２参照）を取り外した状態を示す。
【００３９】
このコンセント装置１は、複数の電線１１ｆの端部１１ａを収容するケース１０と、このケース１０内に取り付けられ電線１１をそれぞれ接続する複数のジャックコネクタ１３を備えている。
【００４０】
また、このコンセント装置１は、ジャックコネクタ１３に接続された電線１１をケース１０の外に引き出す引出口１４と、後述の曲げ半径規制手段１５及び変形防止手段１６とを備えている。
【００４１】
曲げ半径規制手段１５は、ジャックコネクタ１３と引出口１４間に配置された電線１１の曲げ半径Ｒを規制する。変形防止手段１６は、電線１１のジャックコネクタ１３との接続部分１１ｂ及びその近傍の部分が、接続部分１１ｂの中心軸に対して側方へ変形するのを防止する。
【００４２】
次に、上記の各構成要素について説明する。ケース１０は、ベース１２とカバー１７（図２参照）を有する。ベース１２は、図２に示すように、絶縁材料で略四角形の板状に形成されている。
【００４３】
このベース１２の上面には、上記の引出口１４、曲げ半径規制手段１５、変形防止手段１６、ジャックコネクタ１３を収容するインナーハウジング１８を取り付ける取付部２０などが形成されている。
【００４４】
また、ジャックコネクタ１３は、絶縁材料で形成された枠体１３ａと、金属製の端子１３ｂとを有している。そして、図２中の枠体１３ａの裏側から、端子１３ｂに電線１１の芯線（図示せず）を圧接により接続する。また、図２中の枠体１３ａの表側の接続穴１３ｃに、ＬＡＮケーブルのモジュラジャック（図示せず）を挿入する。これにより、ＬＡＮケーブルのモジュラジャックの端子とジャックコネクタ１３の端子１３ｂとが接続される。
【００４５】
ジャックコネクタ１３は、インナーハウジング１８の収容部１９に収容されている。このインナーハウジング１８は、長尺な略直方体状に形成されている。
【００４６】
接続穴１３ｃの入り口には、開閉自在なシャッター（図示せず）が設けられている。このシャッターは、ＬＡＮケーブルのモジュラジャックの先端で内側に押すことによって開けることができる。
【００４７】
また、ジャックコネクタ１３は、図３に示すように、引出口１４から電線１１が引き出されるＸ方向と略平行に一列に配置されている。電線１１のジャックコネクタ１３との接続部分１１ｂは、上記のＸ方向に対して交差するＹ方向に延びている。本例では、Ｘ方向とＹ方向とが略直交している。
【００４８】
上記の引出口１４及び曲げ半径規制手段１５は、それぞれベース１２の両側に形成されている。これにより、電線１１をケース１０の両側に引き出すことができる。また、ベース１２には、図２に示すように、カバー１７が着脱自在に取り付けられている。
【００４９】
引出口１４は、ベース１２の角部に設けられたピン２２と、上記の曲げ半径規制手段１５の端部とに挟まれた隙間によって形成されている。この引出口１４から、ケース１０内に収容された全ての電線１１を外部に引き出すことができる。
【００５０】
上記の曲げ半径規制手段１５は、図４に示すように、所定の曲率半径Ｒを有する円弧状のガイド部２５と、このガイド部２５の両端部に形成された補強用のリブ２６，２６とを有している。これらのリブ２６，２６は、ガイド部２５の円弧の中心側に突出している。
【００５１】
ガイド部２５は、薄板部材を用いて円の略１／４の長さを有する円弧状に形成されている。このガイド部２５は、図３に示すように、引出口１４と、この引出口１４に最も近いジャックコネクタ１３との間を連続するように配置されている。
【００５２】
本例では、ガイド部２５の一方の端部２５ａが、ジャックコネクタ１３の接続穴１３ｃの端縁に配置されている。また、ガイド部２５のもう一方の端部２５ｂが、引出口１４の端縁に配置されている。
【００５３】
ここで、図４に示すように、電線１１の直径をｄとし、ガイド部２５の外表面２５ｃの曲率半径をＲとする。この曲率半径Ｒは、電線１１の直径ｄの４倍以上（Ｒ≧４ｄ）に設定する。本例ではＲ＝４ｄに設定されている。
【００５４】
一般的に、電線１１の直径ｄは、６〜７ｍｍである。従って、ガイド部２５の曲率半径Ｒは、２４〜２８ｍｍに設定する。
【００５５】
図１の変形防止手段１６は、図２にも示すように、断面が略Ｕ字状に形成されている。この変形防止手段１６は、ベース１２の成形と同時にインサート成形される。
【００５６】
変形防止手段１６は、図３に示すように、ジャックコネクタ１３の近傍に配置されている。また、これらの変形防止手段１６は、隣接するジャックコネクタ１３，１３の中心軸間の略中央に配置されている。
【００５７】
隣接する変形防止手段１６，１６同士の間には、電線１１の直径ｄと略同一の大きさを有する隙間ｂが形成されている。また、両側の曲げ半径規制手段１５のガイド部２５と変形防止手段１６との間にも、上記と同一の隙間ｂが形成されている。
【００５８】
変形防止手段１６，１６間、及び変形防止手段１６とガイド部２５間に電線１１が挿入される。これにより、電線１１が所定の位置に保持される。
【００５９】
次に、このコンセント装置１の作用を説明する。図３に示すように、このコンセント装置１に複数の電線１１を接続する場合は、複数のモジュラジャック１３が収容されたインナーハウジング１８をベース１２の取付部２０から取り外し、この状態で各々の電線１１を端子１３ｂ（図２参照）に圧接する。
【００６０】
そして、この状態でインナーハウジング１８をベース１２の取付部２０（図２参照）に取り付ける。
【００６１】
次に、ジャックコネクタ１３に接続されている電線１１を、ベース１２の引出口１４から外部に引き出す。このときには、まず引出口１４に最も近いジャックコネクタ１３に接続されている電線１１を、曲げ半径規制手段１５のガイド部２５と変形防止手段１６の隙間ｂに挿入する。
【００６２】
次に、この電線１１を、曲げ半径規制手段１５の全長に沿って当接させる。これにより、引出口１４に最も近いジャックコネクタ１３に接続されている電線１１が、所定の曲げ半径Ｒで円弧状に湾曲する。この電線１１の曲げ半径Ｒは、必然的に規定値になる。本例では、電線１１の曲げ半径Ｒが、必然的に電線１１の直径ｄの４倍になる。
【００６３】
次に、他の電線１１を変形防止手段１６，１６間の隙間ｂ、またはガイド部２５と変形防止手段１６間の隙間ｂに挿入する。
【００６４】
次に、これらの電線１１の端部１１ｂを、ベース１２内で電線１１の直径ｄの４倍以上の曲げ半径で円弧状に湾曲させる。これらの電線１１が接続されているジャックコネクタ１３は、引出口１４から比較的離れた位置に配置されている。
【００６５】
この場合、ジャックコネクタ１３と引出口１４間に配置される電線１１の長さは比較的長くなる。従って、作業者が治具などを使用することなく、手作業によって簡単に電線１１をその直径ｄの４倍以上の曲げ半径で湾曲させることができる。
【００６６】
次に、電線１１の湾曲した部分より先の直線部分を、ガイド部２５に当接している電線１１の上に重ねて配置する。そして、これらの電線１１を引出口１４から外部に引き出す。
【００６７】
このように、本発明のコンセント装置１は、引出口１４とこれに最も近いジャックコネクタ１３との間に曲げ半径規制手段１５が設けられている。従って、作業者が電線１１を曲げ半径規制手段１５のガイド部２５に沿って配線するだけで、電線１１の曲げ半径が必然的に所定値になる。
【００６８】
本例では、引出口１４に最も近いジャックコネクタ１３に接続された電線１１の曲げ半径Ｒが、必然的に電線１１の直径ｄの４倍になる。
【００６９】
また、これ以外の電線１１も、その直径ｄの４倍以上の曲げ半径で滑らかに湾曲した状態で、ケース１０内に収容される。
【００７０】
従って、ＴＩＡ／ＥＴＡ−５６８−Ｂ．１（米国における商用ビル通信配線規格−一般要求事項）１０章（配線施工要求条件の電線）によって規定されたＵＴＰ（Ｕｎｓｈｉｅｌｄｅｄ  Ｔｗｉｓｔ  Ｐａｉｒ）ケーブルの最小曲げ半径を満足できる。
【００７１】
これにより、ＬＡＮの高速化に伴い、無理なケーブルの引き回し、屈曲による電送特性の低下を防止することができる。
【００７２】
ここで、試みとして、図５に示すように、本発明の曲げ半径規制手段１５を設けないコンセント装置３について考える。なお、図５においては、図１と同一の部分には同一の符号を付けてその説明を省略する。
【００７３】
このコンセント装置３は、引出口１４に最も近いジャックコネクタ１３に接続された電線１１が、ジャックコネクタ１３と引出口１４間に直線的に引き回されるおそれがある。
【００７４】
この場合は、電線１１がジャックコネクタ１３の端縁及び引出口１４の端縁で、急角度に曲げられる。これらの電線１１の曲げ部分３１，３２の曲げ半径は、上記の規格で規定されている最小曲げ半径を満足できない。
【００７５】
従って、ＬＡＮの高速化に伴い、無理なケーブルの引き回し、屈曲による電送特性の低下をまねくおそれがある。
【００７６】
更に、本発明のコンセント装置１は、ジャックコネクタ１３に接続された電線１１の接続部分１１ｂ及びその近傍が、曲げ半径規制手段１５のガイド部２５と変形防止手段１６間、または隣接する変形防止手段１６間の隙間ｂに挿入される。
【００７７】
上記のように隙間ｂは、電線１１の直径ｄと略同一の寸法である。従って、電線１１の接続部分１１ｂ及びその近傍の部分に、電線１１の中心軸と交差する方向の外力が作用した場合でも、電線１１が側方へ変形するのを防止できる。
【００７８】
例えば、上記電線１１が硬質の場合、この電線１１を上記の曲げ半径規制手段１５のガイド部２５に沿って配線するのが多少困難になるおそれがある。このような場合、作業者が無理に電線１１をガイド部２５に沿って配線しようとする。これにより、電線１１に側方への力がかかるおそれがある。
【００７９】
この場合、従来のように本発明の変形防止手段１６が設けられていない場合には、電線１１とジャックコネクタ１３との接続部分、ジャックコネクタ１３の上記シャッターなど各部に負荷がかかる。そうすると、負荷がかかった部分が破損したり、接続部分が外れて電気特性を損なうおそれがあった。
【００８０】
これに対して、本発明のコンセント装置１は、変形防止手段１６によって、電線１１が側方へ変形するのを防止できる。従って、電線１１とジャックコネクタ１３との接続部分など、各部に負荷がかかるのを防止できる。従って、各部が破損したり、電気特性を損なうなどの問題が発生するのを防止できる。
【００８１】
なお、上記の実施例では、本発明をコンセント装置１に適用した場合について説明したが、本発明はこれ以外の各種のコネクタに適用できる。
【００８２】
【発明の効果】
本発明では、電線の曲げ半径を規制する曲げ半径規制手段を設け、作業者が電線を曲げ半径規制手段に沿って配置するだけで必然的に電線の曲げ半径が所定値になる。従って、電線の曲げ半径が規定値より小さくなるのを防止できる。
【００８３】
また、従来のように、電線の曲げ半径を規定値以上とするため、特別な治具を使用する必要がないので、作業工程を少なくできる。これにより、作業工数を低減できる。
【図面の簡単な説明】
【図１】本発明の一実施形態を示す斜視図である。
【図２】本発明の一実施形態を示す分解斜視図である。
【図３】本発明の一実施形態のカバー１７を取り外した状態を示す平面図である。
【図４】本発明の曲げ半径規制手段を示す図である。
【図５】本発明の曲げ半径規制手段を設けない場合を示す斜視図である。
【図６】従来例を示す図である。
【図７】別の従来例を示す図である。
【図８】別の従来例を示す図である。
【符号の説明】
１  コンセント装置
３  コンセント
１０  ケース
１１  電線
１１ａ  電線の端部
１１ｂ  接続部分
１２  ベース
１３  ジャックコネクタ
１３ａ  枠体
１３ｂ  端子
１３ｃ  接続穴
１４  引出口
１５  曲げ半径規制手段
１６  変形防止手段
１７  カバー
１８  インナーハウジング
１９  収容スペース
２０  取付部
２２  ピン
２５  ガイド部
２５ａ  ガイド部の一方の端部
２５ｂ  ガイド部の他方の端部
２５ｃ  ガイド部の外表面
２６  リブ
３１  電線の曲げ部分
３２  電線の曲げ部分
３００  コンセント装置
３０２  ボディ
３０６  下側片
３０７  開口窓
３０９  突片
３１０  ノックアウト部
３１０ａ  ケーブル挿通孔
３１１  ケーブル保持部
３１９〜３２１  ガイド用リブ
３３０  モジュラブロック
３６０ａ〜３６０ｆ  電線
４００  コンセント装置
４１０  電気接続箱
４１２  カバー体
４１２ａ  導入口
４１２ｃ  底壁
４１２ｄ  係止孔
４１４ａ  固定側コネクタ
４１５ａ  可動側コネクタ
４１６  規制部材
４１６ａ  係止突起
５００  コンセント装置
５０２  コネクタカバー
５０３  突起
５１２  多端子コネクタ
５１３  電線
ｄ  電線の直径
Ｒ  ガイド部の曲率半径
Ｗ  電線束
ｗａ，ｗｂ，ｗｃ  電線
【図１】
2004319417.tif 000003
【図２】
2004319417.tif 000004
【図３】
2004319417.tif 000005
【図４】
2004319417.tif 000006
【図５】
2004319417.tif 000007
【図６】
2004319417.tif 000008
【図７】
2004319417.tif 000009
【図８】
2004319417.tif 000010